(57)【特許請求の範囲】
【請求項１】
スノーボード上にビンディングを取り付ける装置であって、スノーボード上に固設されるベースプレートと当該ベースプレートに対して相対的に角度変更可能に積層されたビンディング取り付け用のロータリープレートとを具備しており、当該ロータリープレートには互いに隔離させて固定具を複数個配設すると共に、当該固定具における固定ピンを昇降操作させてベースプレートに開設した複数個の係止孔に選択的に挿脱させてロータリープレートを任意の角度位置でベースプレートに固定可能としてなるスノーボードにおけるビンディング取り付け装置において、固定具が固定ピンを係止孔に係合してなる固定位置と、解離してなる解除位置とに昇降変位させうる操作レバを具備しており、当該操作レバを固定ピンの昇降方向に交差する方向に変位させ、固定ピンに連結された操作レバのロック杆を固定具の支持枠に係合することにより、固定具の固定ピンが係止孔に係合した状態を保つようにして固定位置をロック可能としたスノーボードにおけるビンディング取り付け装置。
【発明の詳細な説明】
【０００１】
【発明の属する技術分野】
この発明はスノーボードの技術分野に属するものであって、殊にスノーボードにブーツを固定するビンディング取り付け装置に関するものである。
【０００２】
【従来の技術】
従来、この種の技術としては、例えば、特開平３−２０２０７７号公報（公知例）に記載されたスノーボードが挙げられる。
【０００３】
その内容の要点は、スノーボードの基体１上にブーツの固定装置２を設けたものであって、スノーボード上に固設される固着板３上に前記固定装置２のベース部材１０を取り付けた環状のロータ１３５を載置し、保持ディスク１３７で当該ロータ１３５を旋回可能に保持させると共に、単一の係止機構１６２によって前記ロータ１３５を拘束可能としたものであり、当該係止機構１６２は、前記ロータ１３５上に設けられ、レバー１９０により圧縮ばね１８６に抗して昇降される係止ピン１６４を前記固着板３の外周辺に開設した複数個の係止開口１４７に選択的に係脱可能な構成となしたものである。
【０００４】
【発明が解決しようとする課題】
前記の公知例によって開示されたスノーボードにあっても利用者の要請に応じて、ロータ１３５と共にブーツを固定しうるバインディングのベース部材１０を任意の方向にその指向方向を変更させてスノーボードの基体１上に固定しうるものであるが、次に述べるような解決すべき課題点が残されていた。
【０００５】
即ち、高速で走行し急速に停止あるいは方向変換する際には、係止機構１６２の単一の係止ピン１６４に過大な剪断力が与えられて折損し、ロータ１３５の係止状態が不用意に解除され使用者を危険にさらすおそれがあり、又、レバー１９０を単一方向に起伏させて係止ピン１６４を昇降させ、ロータ１３５の解放もしくは固定を実行するものであるから、使用中にスノーボードが雪塊やブッシュもしくは岩石などに接触した際には不用意にレバー１９０が移動され、係止ピン１６４が係止開口１４７から抜脱されて、結果的にはビンディングの固定が解除され、使用者を危険にさらすおそれがあった。
【０００６】
従って、スノーボーダーからは、容易にビンディングの指向方向を変更調節（角度調節）が出来るものであって、しかも不用意にビンディングの固定が解除されるおそれのない安全なビンディング取り付け装置の提供が基体されていた。
【０００７】
この発明の第１の目的は、迅速かつ容易にビンディングの指向方向を変更調節出来るものであって、衝撃に対しても破損されるおそれのない安全なビンディング取り付け装置を提供することである。
【０００８】
この発明の第２の目的は、ビンディングの固定状態が不用意に解除されるおそれのない高品質のビンディング取り付け装置を提供することである。
【０００９】
この発明の第３の目的は、コンパクトでしかも使用中におけるスノーボード表面に平行する方向に関するストレスに対して、極めて丈夫な安全性の高いビンディング取り付け装置を提供することである。
【００１０】
【課題を解決するための手段】
前記の目的を達成するためのこの発明の構成上の特徴点は次の通りである。
【００１１】
(1)  スノーボード上にビンディングを取り付ける装置であって、スノーボード上に固設されるベースプレートと当該ベースプレートに対して相対的に角度変更可能に積層されたビンディング取り付け用のロータリープレートとを具備しており、当該ロータリープレートには互いに隔離させて固定具を複数個配設すると共に、当該固定具における固定ピンを昇降操作させてベースプレートに開設した複数個の係止孔に選択的に挿脱させてロータリープレートを任意の角度位置でベースプレートに固定可能としてなるスノーボードにおけるビンディング取り付け装置において、固定具が固定ピンを係止孔に係合してなる固定位置と、解離してなる解除位置とに昇降変位させうる操作レバを具備しており、当該操作レバを固定ピンの昇降方向に交差する方向に変位させ、固定ピンに連結された操作レバのロック杆を固定具の支持枠に係合することにより、固定具の固定ピンが係止孔に係合した状態を保つようにして固定位置をロック可能としたスノーボードにおけるビンディング取り付け装置。
【００１４】
【発明の実施の形態】
以下、図面に基づいてその実施の形態を説明する。
【００１５】
この実施の形態に係るビンディング取り付け装置１の特徴点は、ソフトブーツ用のみならず、ハードブーツ用の各ビンディング（ＢＧ）をスノーボード（ＳＢ）上にその指向方向を任意に選択して強固に固定可能となした点にある。
【００１６】
即ち、図１に示すようにスノーボード（ＳＢ）上に架設されるビンディング取り付け装置１は、スノーボード（ＳＢ）上に固設されるベースプレート２と、ホールドプレート３との間にロータリープレート４を回転可能に介装したものであって、図２に見られるようにスノーボード（ＳＢ）の頂面に前記ベースプレート２の中央部に形成した皿状突部２１を当接させると共に、その頂面にロータリープレート４を積層させ、更に当該ロータリープレート４の頂面には前記ホールドプレート３を臨ませ、当該ホールドプレート３の中央部に突設した円形突部３１を前記ロータリープレート４の円形透窓４１に貫通させ、その下部を更に前記ベースプレート２に凹設した円形凹部２２内に嵌入させ、前記ホールドプレート３の透通孔３２と前記ロータリープレート４の円形透窓４１ならびに前記ベースプレート２の透孔２３に貫通させた取り付けボルト５の下部を更にスノーボード（ＳＢ）の取り付け孔（ＳＢＨ）に貫通させて締付けナット６をこれに螺締することによりスノーボード（ＳＢ）に対してロータリープレート４が回動可能とされた状態で取り付け装置１が架設されるものである。
【００１７】
又、前記ロータリプレート４の外辺部には一対の突枠４２を延設し、当該突枠４２にはそれぞれ３対のネジ孔４３を開設しており、ビンディング（ＢＧ）の底板を取付ネジ（図示略）などによって固設しうるものである。
【００１８】
次に、ロータリープレート４の回動ならびに固定を選択しうる固定具７についてみれば次の通りである。
【００１９】
即ち、図１および図４に示すように前記ロータリープレート４の外周辺における１８０度隔離した位置に対向状に一対の固定具７を装備させたものである。
【００２０】
当該固定具７の機能としては、前記のロータリープレート４を前記したベースプレート２に対して位置変更可能に解放もしくは固定しうる点にある。
【００２１】
即ち、その構造は、前記ロータリプレート４の頂面にＬ字状の支持枠７１を固設し、当該支持枠７１に開設した貫通孔７２に挿通させたアクトピン７３の頂部を支持枠７１上において枢軸７４により操作レバ７５に連結させると共に、当該アクトピン７３の下部には、前記支持枠７１の凹入部７１１内に臨ませて配設した昇降プレート７６を相互に回動可能に連結し、前記支持枠７１の凹孔７１２に頂部を嵌入させたスプリング７７の下部を前記昇降プレート７６に弾接させており、前記昇降プレート７６の下面に植設した各々４本の固定ピン７８を、前記ベースプレート２の外周上に互いに３度間隔で開設した係止孔２４に位置変更可能に挿脱させうるように構成している。
【００２２】
更に、前記操作レバ７５には、前記枢軸７４を中心とする距離が相違する固定および解放カム面７５１，７５２を形成し、その内部には枢軸７４によって操作レバ７５に連結されたアクトピン７３の移動を容認するコ字状凹入部７５３を形成しており、又、当該操作レバ７５には、使用者が指掛け可能な操作部７５４を突設すると共に、当該操作部７５４の下面位置には、ロック杆７５５を一体状に垂設し、当該ロック杆７５５の下部の係止部７５６を前記支持枠７１の凹入部７１１の内面７１３に係脱可能となしたものである。
【００２３】
次に、このビンディング取り付け装置１の使用法について説明する。
【００２４】
詳細に説明するまでもなく図１において仮想線で示すように、ビンディング（ＢＧ）の底板をロータリープレート４のネジ孔４３にボルトなどによって固設しうるものである。
【００２５】
▲１▼  ビンディングの角度調整。
スノーボード（ＳＢ）の使用前に、ビンディング（ＢＧ）の角度調整を実施するために、まず、図１および図４に示すように固定具７の操作部７４５に指を掛けて操作レバ７５をロック位置（イ）からレリース位置（ロ）に矢印（ハ）で示すようにアクトピン７３を中心として旋回させてロック杆７５５の係止部７５６を支持枠７１の内面７１３から離脱させる。
【００２６】
次で、図４において仮想線で示すように、操作レバ７５を矢印（ニ）方向に旋回させ、その固定カム面７５１を支持枠７１の頂面７１４から解脱させ、代りにその解放カム面７５２を前記頂面７１４に当接させるが、この際解放カム面７５２の方が固定カム面７５１よりもアクトピン７３位置からの距離が遠くなるように構成されているため、アクトピン７３は貫通孔７２内においてスプリング７７に抗して上昇され、同時に昇降プレート７６と共に固定ピン７８も同様に上昇され、その下端部がベースプレート２の係止孔２４から抜脱されてロータリープレート４の固定が解除される（解除位置（ホ））。
【００２７】
これにより、ロータリープレート４は、回動可能となるので、その角度位置を任意に変更調節しうることとなる。
【００２８】
▲２▼  ビンディングの固定。
次にビンディング（ＢＧ）の固定操作であるが、この場合には前記の解放操作を逆順序で実施すればよいことは明らかであるのでその要点のみを以下に説明する。
【００２９】
即ち、図４の仮想線で示す解除位置（ホ）から操作レバ７５を矢印（ニ’）方向に旋回させ、スプリング７７の弾発力を利用して固定カム面７５１を頂面７１４に当接させると共に、固定ピン７８を再びベースプレート２の係止孔２４に挿通させる（レリース位置（ロ））。
【００３０】
次で、図１および図５に示すように、操作レバ７５を矢印（ハ’）方向に旋回させて、ロック杆７５５の係止部７５６を支持枠７１の内面７１３に係合させてロック状とする（図３参照）。
【００３１】
これによって、操作レバ７５はその操作部７５４が内向きに変位されてスノーボード（ＳＢ）の側方には突出しないロック位置（イ）となり、不用意に障害物に衝突されるおそれがなく、ロータリープレート４の固定状態の信頼性が向上することとなる。
【００３２】
【発明の効果】
以上説明したこの発明によってもたらされる顕著な効果は次の通りである。
【００３３】
▲１▼複数個の固定具の操作レバを操作してビンディングを装備したロータリープレートをベースプレートから解放して角度調節を実行し、再び固定しうるものであって、その操作性が容易で迅速性が向上するばかりでなく、万一、雪片や砂礫が介入していずれかの固定具の操作に支障が生じても他の固定具によりロータリープレートの固定は保障されうるものであって、その安全性は確実なものとなる。
【００３４】
▲２▼固定具はロータリプレートの固定に際して操作レバを第一の方向に変位させ、更に前記第一の方向とは異なる第二の方向に変位させて操作レバをロックするようにしたため、不用意にロータリープレートがベースプレートから解放されるおそれが皆無となり、使用者の危険を未然防止しうるものである。
【００３５】
▲３▼ロータリプレートはベースプレートとホールドプレートとの間にホールドプレートの円形突部を挿通させた状態で回動可能に配備させたものであるため、スノーボードの使用中にあって高速走行し、あるいは急速停止した際に過大なストレスが与えられても各プレートは互いに離脱しあるいは破損されるおそれのない安全でコンパクトなものが得られる。
【図面の簡単な説明】
【図１】この発明の実施の形態を示す平面図。
【図２】図１における各プレートのＸ−Ｘ位置での組立て断面図。
【図３】図１におけるＹ−Ｙ位置での断面図。
【図４】図１における固定具の一部切断側面図。
【図５】図４の平面図。
【符号の説明】
１      ビンディング取り付け装置
２      ベースプレート
２１    皿状突部
２２    円形凹部
２３    透孔
２４    係止孔
３      ホールドプレート
３１    円形突部
３２    透通孔
４      ロータリープレート
４１    円形透窓
４２    突枠
４３    ネジ孔
５      取り付けボルト
６      締付けナット
７      固定具
７１    支持枠
７１１  凹入部
７１２  凹孔
７１３  内面
７１４  頂面
７２    貫通孔
７３    アクトピン
７４    枢軸
７５    操作レバ
７５１  固定カム面
７５２  解放カム面
７５３  コ字状凹入部
７５４  操作部
７５５  ロック杆
７５６  係止部
７６    昇降プレート
７７    スプリング
７８    固定ピン
ＢＧ    ビンディング
ＳＢ    スノーボード
ＳＢＨ  取り付け孔
【図１】
0003667829.tif 000002
【図２】
0003667829.tif 000003
【図３】
0003667829.tif 000004
【図４】
0003667829.tif 000005
【図５】
0003667829.tif 000006